(57)【要約】【課題】  経時に伴う光学系の透過率の低下に対して、安定した光の出力を行うことができつつ、しかも、構成の簡素化を図ることができる光源装置を提供する。【解決手段】  本発明に係る光源装置１０は、結合光学系４で結合された光から、所定波長の光の光量を検出する光量検出部６と、各レーザ光源部１，２，３の出力を制御すべく、各レーザ光源部１，２，３に流れる電流値を制御する制御部７とを備える。そして、制御部７は、光量検出部６が検出した光量と所定波長の光の光量設定値とに基づいて、所定波長の光を出射するレーザ光源部１の電流値を制御する一方、検出した光量、光量設定値及びレーザ光源部１の電流値のうち、少なくとも一つの値に基づいて、他の波長の光を出射するレーザ光源部２，３の電流値を制御する。【選択図】  図１
2015050225.tif 000002
【特許請求の範囲】
【請求項１】
所定波長の光を出射するレーザ光源部と、
前記所定波長とは異なる他の波長の光を出射する前記レーザ光源部とは異なる少なくとも一つの他のレーザ光源部と、
前記複数のレーザ光源部から出射された光を結合する結合光学系と、
前記結合光学系で結合された光から、前記所定波長の光の光量を検出する光量検出部と、
前記各レーザ光源部の出力を制御すべく、前記各レーザ光源部に流れる電流値を制御する制御部と、を備え、
前記制御部は、前記光量検出部が検出した光量と前記所定波長の光の光量設定値とに基づいて、前記所定波長の光を出射するレーザ光源部の電流値を制御する一方、前記検出した光量、前記光量設定値及び前記電流値のうち、少なくとも一つの値に基づいて、前記他の波長の光を出射する前記他のレーザ光源部の電流値を制御する光源装置。
【請求項２】
前記制御部は、前記光量検出部が検出した光量のみに基づいて、前記他の波長の光を出射する前記他のレーザ光源部の電流値を制御する請求項１に記載の光源装置。
【請求項３】
前記制御部は、前記所定波長を出射する前記レーザ光源部の電流値のみに基づいて、前記他の波長の光を出射する前記他のレーザ光源部の電流値を制御する請求項１に記載の光源装置。
【請求項４】
前記制御部は、前記所定波長の光の光量設定値のみに基づいて、前記他の波長の光を出射する前記他のレーザ光源部の電流値を制御する請求項１に記載の光源装置。
【請求項５】
前記制御部は、前記複数のレーザ光源部の電流値を所定周期で制御し、
前記他の波長の光を出射する前記他のレーザ光源部の電流値を制御する周期は、前記所定波長の光を出射するレーザ光源部の電流値を制御する周期よりも長い請求項１〜４の何れか１項に記載の光源装置。
【請求項６】
前記所定波長の光は、前記複数のレーザ光源部から出射される光のうち、最も波長が短い光である請求項１〜５の何れか１項に記載の光源装置。
【発明の詳細な説明】
【技術分野】
【０００１】
本発明は、光を出射する複数のレーザ光源部を備える光源装置に関する。
【背景技術】
【０００２】
従来、光源装置として、光を出射する複数のレーザ光源部と、複数のレーザ光源部から出射された光を結合する結合光学系とを備える光源装置が知られている（例えば、特許文献１及び２）。斯かる光源装置においては、制御部が、各レーザ光源部の出力（出射する光量）を個別にフィードバック制御している。
【０００３】
ところで、光源装置においては、レーザ光が光学系の光学膜（例えば、レンズや光ファイバーの端面に施す反射防止膜、ダイクロイックミラーを成す誘電体多層膜等）に吸収されることにより、光学膜が損傷する。これにより、使用時間が経過することに伴って、光学系の透過率が低下するという問題があった。
【０００４】
また、レーザ光が高いエネルギー密度で集光された集光点付近（例えば、光ファイバーの入射面等）においては、レーザ光が浮遊する有機物（例えば、接着剤から気体として発生するシロキサン等）と反応するため、集光点付近の光学系の表面に異物（例えば、シリカ系の堆積物等）が堆積される。これにより、使用時間が経過することに伴って、光学系の透過率が低下するという問題もあった。
【先行技術文献】
【特許文献】
【０００５】
【特許文献１】特許４８５８１８２号公報
【特許文献２】特許５１８００８６号公報
【発明の概要】
【発明が解決しようとする課題】
【０００６】
よって、本発明は、斯かる事情に鑑み、経時に伴う光学系の透過率の低下に対して、安定した光の出力を行うことができつつ、しかも、構成の簡素化を図ることができる光源装置を提供することを課題とする。
【課題を解決するための手段】
【０００７】
斯かる課題を解決するために、発明者は、波長の短い光においては、光学系の透過率が経時に伴って低下する一方、波長の長い光においては、光学系の透過率が経時に伴っても維持していることを発見した。これにより、発明者は、以下のような光源装置を発明した。
【０００８】
本発明に係る光源装置は、所定波長の光を出射するレーザ光源部と、前記所定波長とは異なる他の波長の光を出射する前記レーザ光源部とは異なる少なくとも一つの他のレーザ光源部と、前記複数のレーザ光源部から出射された光を結合する結合光学系と、前記結合光学系で結合された光から、前記所定波長の光の光量を検出する光量検出部と、前記各レーザ光源部の出力を制御すべく、前記各レーザ光源部に流れる電流値を制御する制御部と、を備え、前記制御部は、前記光量検出部が検出した光量と前記所定波長の光の光量設定値とに基づいて、前記所定波長の光を出射するレーザ光源部の電流値を制御する一方、前記検出した光量、前記光量設定値及び前記電流値のうち、少なくとも一つの値に基づいて、前記他の波長の光を出射する前記他のレーザ光源部の電流値を制御する。
【０００９】
本発明に係る光源装置によれば、光量検出部が、結合光学系で結合された光から、所定波長の光の光量を検出し、制御部は、光量検出部が検出した光量と所定波長の光の光量設定値とに基づいて、所定波長を出射するレーザ光源部の電流値を制御する。これにより、経時に伴って透過率が低下する所定波長の光は、レーザ光源部から設定された光量を出射される。
【００１０】
また、制御部は、光量検出部が検出した光量、所定波長の光の光量設定値、及び所定波長の光を出射するレーザ光源部の電流値のうち、少なくとも一つの値に基づいて、他の波長の光を出射する他のレーザ光源部の電流値を制御する。これにより、経時に伴っても透過率が維持する他の波長の光は、他のレーザ光源部から所望の量、例えば、所定波長（所定色）の光量に対して色バランス（ホワイトバランス）が保たれる光量を出射される。したがって、経時に伴う光学系の透過率の低下に対して、安定した光の出力を行うことができる。
【００１１】
しかも、光量検出部が、結合光学系で結合された光から、各波長の光の光量を全て検出することなく、所定波長の光の光量のみを検出することで、経時に伴う光学系の透過率の低下に対して、安定した光の出力を行うことができる。したがって、各波長の光量を全て検出する構成と比較して、本発明に係る光源装置によれば、構成の簡素化を図ることができる。
【００１２】
また、本発明に係る光源装置においては、前記制御部は、前記光量検出部が検出した光量のみに基づいて、前記他の波長の光を出射する前記他のレーザ光源部の電流値を制御する、という構成でもよい。
【００１３】
また、本発明に係る光源装置においては、前記制御部は、前記所定波長を出射する前記レーザ光源部の電流値のみに基づいて、前記他の波長の光を出射する前記他のレーザ光源部の電流値を制御する、という構成でもよい。
【００１４】
また、本発明に係る光源装置においては、前記制御部は、前記所定波長の光の光量設定値のみに基づいて、前記他の波長の光を出射する前記他のレーザ光源部の電流値を制御する、という構成でもよい。
【００１５】
また、本発明に係る光源装置においては、前記制御部は、前記複数のレーザ光源部の電流値を所定周期で制御し、前記他の波長の光を出射する前記他のレーザ光源部の電流値を制御する周期は、前記所定波長の光を出射するレーザ光源部の電流値を制御する周期よりも長い、という構成でもよい。
【００１６】
また、本発明に係る光源装置においては、前記所定波長の光は、前記複数のレーザ光源部から出射される光のうち、最も波長が短い光である、という構成でもよい。
【発明の効果】
【００１７】
以上の如く、本発明に係る光源装置は、経時に伴う光学系の透過率の低下に対して、安定した光の出力を行うことができつつ、しかも、構成の簡素化を図ることができるという優れた効果を奏する。
【図面の簡単な説明】
【００１８】
【図１】図１は、本発明の一実施形態に係る光源装置の概略構成図である。
【図２】図２は、同実施形態に係る光源装置の制御ブロック図である。
【図３】図３は、同実施形態に係るＢ光（第１の波長の光）の光量に対する第２レーザ光源の電流値の関係を示すグラフである。
【図４】図４は、同実施形態に係るＢ光（第１の波長の光）の光量に対する第３レーザ光源の電流値の関係を示すグラフである。
【図５】図５は、同実施形態に係る光源装置の制御フロー図である。
【図６】図６は、本発明の他の実施形態に係るＢ光の光量設定値に対する第２レーザ光源の電流値の関係を示すグラフである。
【図７】図７は、同実施形態に係るＢ光の光量設定値に対する第３レーザ光源の電流値の関係を示すグラフである。
【図８】図８は、本発明のさらに他の実施形態に係る光源装置の制御ブロック図である。
【図９】図９は、同実施形態に係る累積動作時間に対する透過率の関係を示す表である。
【図１０】図１０は、同実施形態に係る累積動作時間に対する透過率の関係を示すグラフである。
【図１１】図１１は、同実施形態に係る第１レーザ光源の電流値に対する第２レーザ光源の電流値を示すグラフである。
【図１２】図１２は、同実施形態に係る第１レーザ光源の電流値に対する第３レーザ光源の電流値を示すグラフである。
【発明を実施するための形態】
【００１９】
以下、本発明に係る光源装置における一実施形態について、図１〜図５を参酌して説明する。
【００２０】
図１及び図２に示すように、本実施形態に係る光源装置１０は、画像投影装置としている。斯かる光源装置１０は、第１の波長（本発明に係る「所定波長」）の光を出射する第１レーザ光源部（「基準のレーザ光源部」ともいう）１と、第１の波長と異なる第２の波長の光を出射する第２レーザ光源部（本発明に係る「他のレーザ光源部」）２と、第１及び第２の波長と異なる第３の波長の光を出射する第３レーザ光源部（本発明に係る「他のレーザ光源部」）３とを備えている。
【００２１】
また、光源装置１０は、複数のレーザ光源部１，２，３から出射された光を結合する結合光学系４と、例えば、投射レンズ等からなり、結合光学系４から出射された光画像を拡大してスクリーン９に投射する光画像投射機構５とを備えている。さらに、光源装置１０は、結合光学系４で結合された光から第１の波長の光の量を検出する光量検出部６と、各レーザ光源部１，２，３の出力（出射する光量）を制御する制御部７と、各種情報を入力するための入力部８とを備えている。
【００２２】
第１レーザ光源部１は、レーザ光を出射する複数（図１において、３つ図示している）の半導体レーザ１１と、半導体レーザ１１から出射されるレーザ光を平行光にする複数（図１において、３つ図示している）のコリメートレンズ１２とを備えている。また、第１レーザ光源部１は、各半導体レーザ１１を駆動させるべく、制御部７で制御された電流値を定電流で各半導体レーザ１１に供給する駆動部１３を備えている。
【００２３】
第１レーザ光源部１は、第２及び第３レーザ光源部２，３から出射される光よりも、波長が短い光を出射する。本実施形態においては、第１レーザ光源部１は、各半導体レーザ１１から４００ｎｍ〜４８０ｎｍの波長の光を出射している。これにより、第１レーザ光源部１は、青色の光（以下「Ｂ光」ともいう）を出射している。なお、各半導体レーザ１１は、同じ波長の光を出射していてもよく、また、前記範囲内で異なる波長の光を出射していてもよい。
【００２４】
第２レーザ光源部２は、レーザ光を出射する複数（図１において、３つ図示している）の半導体レーザ２１と、半導体レーザ２１から出射されるレーザ光を平行光にする複数（図１において、３つ図示している）のコリメートレンズ２２とを備えている。また、第２レーザ光源部２は、各半導体レーザ２１を駆動させるべく、制御部７で制御された電流値を定電流で各半導体レーザ２１に供給する駆動部２３を備えている。
【００２５】
第２レーザ光源部２は、第１及び第３レーザ光源部１，３から出射される光よりも、波長が長い光を出射する。本実施形態においては、第２レーザ光源部２は、各半導体レーザ２１から６２０ｎｍ〜７５０ｎｍの波長の光を出射している。これにより、第２レーザ光源部２は、赤色の光（以下「Ｒ光」ともいう）を出射している。なお、各半導体レーザ２１は、同じ波長の光を出射していてもよく、また、前記範囲内で異なる波長の光を出射していてもよい。
【００２６】
第３レーザ光源部３は、レーザ光を出射する複数（図１において、３つ図示している）の半導体レーザ３１と、半導体レーザ３１から出射されるレーザ光を平行光にする複数（図１において、３つ図示している）のコリメートレンズ３２とを備えている。また、第３レーザ光源部３は、各半導体レーザ３１を駆動させるべく、制御部７で制御された電流値を定電流で各半導体レーザ３１に供給する駆動部３３を備えている。
【００２７】
第３レーザ光源部３は、第１レーザ光源部１から出射される光よりも、波長が長い光であって、第２レーザ光源部２から出射される光よりも、波長が短い光を出射する。本実施形態においては、第３レーザ光源部３は、各半導体レーザ３１から４９５ｎｍ〜５７０ｎｍの波長の光を出射している。これにより、第３レーザ光源部３は、緑色の光（以下「Ｇ光」ともいう）を出射している。なお、各半導体レーザ３１は、同じ波長の光を出射していてもよく、また、前記範囲内で異なる波長の光を出射していてもよい。
【００２８】
結合光学系４は、各レーザ光源部１，２，３から出射された光を集光する集光レンズ４１，４１，４１と、各集光レンズ４１から出射された光が入射される光ファイバー４２，４２，４２とを備えている。また、結合光学系４は、各光ファイバー４２から出射された光を合成する色合成光学部材４３と、色合成光学部材４３から出射された合成光を光画像にする空間変調素子４４とを備えている。
【００２９】
各光ファイバー４２は、各集光レンズ４１の焦点の位置に入射面が位置するように、配置されている。また、色合成光学部材４３は、例えば、ダイクロイックプリズム等の色合成プリズム等からなり、そして、空間変調素子４４は、例えば、デジタルマイクロミラーデバイスや液晶表示デバイス等からなる。
【００３０】
光量検出部６は、スクリーン９で反射した光のうち、Ｂ光の光量を検出すべく、特定の波長範囲の光が透過できる光学フィルタ６１と、光学フィルタ６１を透過した光の量を検出する検出センサ６２とを備えている。斯かる光学フィルタ６１は、スクリーン９で反射された光のうち、Ｂ光のみを透過させる一方Ｒ光及びＧ光を透過さないように、例えば、４８０ｎｍ以下の波長の光を透過させるように、構成されている。
【００３１】
制御部７は、各種情報を記憶する記憶部７１と、記憶部７１に記憶されている情報に基づいて、各レーザ光源部１，２，３に流すべき電流値を演算する演算部７２とを備えている。また、制御部７は、演算部７２で演算された電流値に基づいて、各レーザ光源部１，２，３に流れる電流値を制御する電流値制御部７３を備えている。
【００３２】
記憶部７１は、入力部８で入力される各モード（例えば、通常モードや省エネモード等）に対するＢ光の光量設定値を記憶する設定値記憶部７１ａを備えている。また、記憶部７１は、Ｂ光（第１の波長の光）の光量に対する第２及び第３レーザ光源部２，３に流すべき電流値の情報を記憶する電流値情報記憶部７１ｂを備えている。
【００３３】
図３に示すように、電流値情報記憶部７１ｂに記憶されている第２レーザ光源部２に流すべき電流値は、Ｂ光の光量に対して色バランス（ホワイトバランス）が保たれるＲ光の光量を出力するための電流値である。図４に示すように、電流値情報記憶部７１ｂに記憶されている第３レーザ光源部３に流すべき電流値は、Ｂ光の光量に対して色バランス（ホワイトバランス）が保たれるＧ光の光量を出力するための電流値である。
【００３４】
演算部７２は、設定値記憶部７１ａに記憶されている光量設定値のうち、入力部８により選択されたモードに対応するＢ光の光量設定値を選択する設定値選択部７２ａを備えている。また、演算部７２は、光量検出部６で検出した光量が設定値選択部７２ａで選択した光量設定値であるか否かを判定する検出値判定部７２ｂを備えている。さらに、演算部７２は、各レーザ光源部１，２，３に流す電流値を演算する電流値演算部７２ｃを備えている。
【００３５】
電流値演算部７２ｃは、光量検出部６で検出されたＢ光の光量と設定値選択部７２ａで選択された光量設定値とに基づいて、Ｂ光を出射する第１レーザ光源部１に流す電流値を演算する。具体的には、電流値演算部７２ｃは、検出された光量が光量設定値より大きい場合に、電流値が小さくなるように演算し、検出された光量が光量設定値より小さい場合に、電流値が大きくなるように演算する。
【００３６】
また、電流値演算部７２ｃは、光量検出部６で検出されたＢ光の光量に基づいて、Ｒ光を出射する第２レーザ光源部２に流す電流値とＧ光を出射する第３レーザ光源部３に流す電流値とを演算する。具体的には、電流値演算部７２ｃは、検出されたＢ光の光量と電流値情報記憶部７１ｂに記憶されている情報とに基づいて、各レーザ光源部２，３に流す電流値を演算する。
【００３７】
電流値制御部７３は、電流値演算部７２ｃで演算された電流値に基づいて、各レーザ光源部１，２，３を制御する。具体的には、電流値制御部７３は、各レーザ光源部１，２，３に流れる電流値が演算された電流値となるように、各レーザ光源部１，２，３の駆動部１３，２３，３３を制御する。
【００３８】
本実施形態に係る光源装置１０の構成については以上の通りであり、次に、本実施形態に係る光源装置１０の制御について、図５を参酌して、説明する。
【００３９】
入力部８で点灯指示及びモードが入力されることにより、設定値選択部７２ａが、設定値記憶部７１ａに記憶されている情報に基づいて、Ｂ光の光量設定値を選択する（ステップ１０１）。そして、光量検出部６が、Ｂ光の光量を検出した（ステップ１０２）後、検出値判定部７２ｂが、検出された光量と選択された光量設定値とを比較する（ステップ１０３）。
【００４０】
検出値判定部７２ｂが、検出されたＢ光の光量が光量設定値と異なると判定した場合には（ステップ１０３の「Ｎ」）、電流値演算部７２ｃが、検出されたＢ光の光量が光量設定値となるように、第１レーザ光源部１の電流値を演算し、電流値制御部７３が、演算された電流値に基づいて、第１レーザ光源部１を制御する（ステップ１０４）。そして、検出されたＢ光の光量が光量設定値となるまで、制御部７が第１レーザ光源部１を繰り返し制御する（ステップ１０２に戻り、ステップ１０３及び１０４を繰り返す）。
【００４１】
また、検出値判定部７２ｂが、検出されたＢ光の光量が光量設定値と等しいと判定した場合には（ステップ１０３の「Ｙ」）、電流値演算部７２ｃが、検出されたＢ光の光量と電流値情報記憶部７１ｂに記憶されている情報とに基づいて、第２及び第３レーザ光源部２，３の電流値を演算し、電流値制御部７３が、演算された電流値に基づいて、第２及び第３レーザ光源部２，３を制御する（ステップ１０５）。
【００４２】
そして、所定時間が経過することにより（ステップ１０６の「Ｙ」）、光量検出部６が、Ｂ光の光量を検出し、上記の制御が繰り返される（ステップ１０２に戻り、ステップ１０２〜１０５を繰り返す）。即ち、制御部７は、各レーザ光源部１，２，３の電流値を、所定周期で制御している。
【００４３】
以上より、本実施形態に係る光源装置１０によれば、光量検出部６が、結合光学系４で結合された光から、Ｂ光の光量を検出し、制御部７は、光量検出部６が検出した光量とＢ光の光量設定値とに基づいて、Ｂ光を出射する第１レーザ光源部１の電流値を制御する。これにより、経時に伴って透過率が低下するＢ光は、第１レーザ光源部１から光量設定値の光量を出射される。
【００４４】
そして、波長が長い光であるＲ光及びＧ光においては、光学系の透過率が経時に伴っても維持されるため、第２及び第３レーザ光源部２，３に流す電流値と第２及び第３レーザ光源部２，３から出射される光の光量との関係は、経時に伴っても維持される。それを利用して、制御部７は、光量検出部６が検出した光量に基づいて、Ｒ光及びＧ光を出射する第２及び第３レーザ光源部２，３の電流値を制御する。
【００４５】
これにより、経時に伴っても透過率が維持されるＲ光及びＧ光は、各レーザ光源部２，３から、Ｂ光の光量に対して色バランス（ホワイトバランス）が保たれる光量を高い精度で出射される。したがって、経時に伴う光学系の透過率の低下に対して、安定した光の出力を行うことができる。
【００４６】
しかも、光量検出部６が、結合光学系４で結合された光から、Ｒ光及びＧ光の光量を検出することなく、Ｂ光の光量のみを検出することで、経時に伴う光学系の透過率の低下に対して、安定した光の出力を行うことができる。したがって、Ｒ光、Ｇ光及びＢ光の光量をそれぞれ全て検出する構成と比較して、本実施形態に係る光源装置１０によれば、構成の簡素化を図ることができる。
【００４７】
なお、本発明に係る光源装置は、上記した実施形態の構成に限定されるものではなく、また、上記した作用効果に限定されるものではない。また、本発明に係る光源装置は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００４８】
上記実施形態に係る光源装置１０においては、制御部７は、光量検出部６が検出したＢ光の光量のみに基づいて、Ｒ光やＧ光を出射する第２及び第３レーザ光源部２，３の電流値を制御する、という構成である。しかしながら、本発明に係る光源装置は、斯かる構成に限られない。要するに、本発明に係る光源装置においては、制御部７は、光量検出部６が検出したＢ光の光量、Ｂ光の光量設定値、Ｂ光を出射する第１レーザ光源部１の電流値のうち、一つのみの値又は二つの値或いは三つ全ての値に基づいて、Ｒ光やＧ光を出射する第２及び第３レーザ光源部２，３の電流値を制御する、という構成でもよい。
【００４９】
例えば、本発明に係る光源装置においては、図６及び図７に示すように、制御部７は、Ｂ光（所定波長の光）の光量設定値のみに基づいて、Ｒ光やＧ光（他の波長の光）を出射する第２及び第３レーザ光源部２，３の電流値を制御する、という構成でもよい。また、本発明に係る光源装置においては、図８〜図１２に示すように、制御部７は、Ｂ光（所定波長の光）を出射する第１レーザ光源部１の電流値のみに基づいて、Ｒ光やＧ光（他の波長の光）を出射する第２及び第３レーザ光源部２，３の電流値を制御する、という構成でもよい。
【００５０】
ここで、図６及び図７に係る変更例の光源装置１０について、説明する。
【００５１】
記憶部７１の電流値情報記憶部７１ｂは、図６及び図７に示すように、Ｂ光（第１の波長の光）の光量設定値に対する第２及び第３レーザ光源部２，３に流すべき電流値の情報を記憶している。図６及び図７に示すように、電流値情報記憶部７１ｂに記憶されている第２及び第３レーザ光源部２，３に流すべき電流値は、Ｂ光の光量に対して色バランス（ホワイトバランス）が保たれるＲ光やＧ光の光量を出力するための電流値である。
【００５２】
そして、演算部７２の電流値演算部７２ｃは、Ｂ光の光量設定値に基づいて、Ｒ光を出射する第２レーザ光源部２に流す電流値とＧ光を出射する第３レーザ光源部３に流す電流値とを演算する。具体的には、電流値演算部７２ｃは、Ｂ光の光量設定値と電流値情報記憶部７１ｂに記憶されている情報とに基づいて、各レーザ光源部２，３に流す電流値を演算する。
【００５３】
ここで、波長が長い光であるＲ光及びＧ光においては、光学系の透過率が経時に伴っても維持されるため、第２及び第３レーザ光源部２，３に流す電流値と第２及び第３レーザ光源部２，３から出射される光の光量との関係は、経時に伴っても維持される。それを利用して、制御部７は、Ｂ光の光量設定値に基づいて、Ｒ光及びＧ光を出射する第２及び第３レーザ光源部２，３の電流値を制御する。なお、第１レーザ光源部１の電流値は、上記実施形態と同様の制御内容で制御される。
【００５４】
このように、図６及び図７に係る構成によれば、経時に伴っても透過率が維持されるＲ光及びＧ光は、各レーザ光源部２，３から、光量設定値に制御されたＢ光の光量に対して色バランス（ホワイトバランス）が保たれる光量を高い精度で出射される。したがって、経時に伴う光学系の透過率の低下に対して、安定した光の出力を行うことができつつ、しかも、構成の簡素化を図ることができる。
【００５５】
次に、図８〜図１２に係る変更例の光源装置１００について、説明する。
【００５６】
図８に示すように、制御部７０は、上記実施形態に係る制御部７に対して、動作した累積の時間を計測する累積動作計測部７４をさらに備えている。また、記憶部７１０は、上記実施形態に係る記憶部７１に対して、累積動作時間に対する各波長の光（第１〜第３の波長の光）における光学系の透過率の情報を記憶する透過率情報記憶部７１ｃをさらに備えている。
【００５７】
透過率情報記憶部７１ｃは、図９及び図１０に示すように、Ｒ光、Ｇ光及びＢ光における各光学系の透過率の情報を記憶している。例えば、累積動作時間が１０，０００時間においては、初期透過率を１００とした場合、Ｒ光及びＧ光における光学系の透過率は、１００であり、Ｂ光における光学系の透過率は、８２（＝１００×０．９８×０．８５×０．９８）である。このように、波長の長い光においては、光学系の透過率が経時に伴っても維持する一方、波長の短い光においては、光学系の透過率が経時に伴って低下する。
【００５８】
記憶部７１の電流値情報記憶部７１ｂは、図１１及び図１２に示すように、初期における第１レーザ光源１の電流値に対する第２及び第３レーザ光源部２，３に流すべき電流値の情報（図１１及び図１２における実線の情報）を記憶している。図１１及び図１２に示すように、電流値情報記憶部７１ｂに記憶されている第２及び第３レーザ光源部２，３に流すべき電流値は、Ｂ光の光量に対して色バランス（ホワイトバランス）が保たれるＲ光やＧ光の光量を出力するための電流値である。
【００５９】
演算部７２の電流値演算部７２ｃは、累積動作計測部７４で計測した累積動作時間と透過率情報記憶部７１ｃで記憶されている各光の光学系の透過率の情報とに基づいて、計測した累積動作時間における第１レーザ光源部１の電流値に対する第２及び第３レーザ光源部２，３に流すべき電流値の情報（図１１及び図１２における破線の情報）を演算する。そして、電流値演算部７２ｃは、その電流値の情報と第１レーザ光源部１の電流値とに基づいて、各レーザ光源部２，３に流す電流値を演算する。
【００６０】
ここで、波長が長い光であるＲ光及びＧ光においては、光学系の透過率が経時に伴っても維持されるため、第２及び第３レーザ光源部２，３に流す電流値と第２及び第３レーザ光源部２，３から出射される光の光量との関係は、経時に伴っても維持される。それを利用して、制御部７は、第１レーザ光源部の電流値に基づいて、Ｒ光及びＧ光を出射する第２及び第３レーザ光源部２，３の電流値を制御する。なお、第１レーザ光源部１の電流値は、上記実施形態と同様の制御内容で制御される。
【００６１】
このように、図８〜図１２に係る構成によれば、経時に伴っても透過率が維持されるＲ光及びＧ光は、各レーザ光源部２，３から、Ｂ光の光量に対して色バランス（ホワイトバランス）が保たれる光量を出射される。したがって、経時に伴う光学系の透過率の低下に対して、安定した光の出力を行うことができつつ、しかも、構成の簡素化を図ることができる。
【００６２】
なお、図８〜図１２に係る光源装置１００は、透過率情報記憶部７１ｃを備えていない構成でもよい。斯かる構成においては、記憶部７１の電流値情報記憶部７１ｂは、第１レーザ光源部１の電流値に対する第２及び第３レーザ光源部２，３に流すべき電流値の情報を、各累積動作時間に対応してそれぞれ記憶している。
【００６３】
また、上記実施形態に係る光源装置１０においては、各レーザ光源部１，２，３の電流値を制御する周期は、全て等しい（ステップ１０６）、という構成である。しかしながら、本発明に係る光源装置は、斯かる構成に限られない。例えば、本発明に係る光源装置においては、Ｒ光及びＧ光（他の波長の光）を出射する第２及び第３レーザ光源部２，３の電流値を制御する周期は、Ｂ光（所定波長の光）を出射する第１レーザ光源部１の電流値を制御する周期よりも長い、という構成でもよい。
【００６４】
斯かる構成によれば、光学系の透過率が経時に伴って低下するＢ光を出射する第１レーザ光源部１は、短い周期で制御され、光学系の透過率が経時に伴っても維持するＲ光及びＧ光を出射する第２及び第３レーザ光源部２，３は、長い周期で制御される。したがって、制御するタイミングを適正にすることができる。
【００６５】
また、上記実施形態に係る光源装置１０においては、レーザ光源部１，２，３は、三つ備えられる、という構成である。しかしながら、本発明に係る光源装置は、斯かる構成に限られない。例えば、本発明に係る光源装置においては、レーザ光源部は、二つ又は四つ以上備えられる、という構成でもよい。要するに、本発明に係る光学装置は、所定の波長の光を出射するレーザ光源部１と、当該所定の波長とは異なる他の波長の光を出射する少なくとも一つのレーザ光源部２，３とを備えていればよい。
【００６６】
また、上記実施形態に係る光源装置１０は、画像投影装置である、という構成である。しかしながら、本発明に係る光源装置は、斯かる構成に限られない。例えば、本発明に係る光源装置は、レーザ光を用いて露光を行う露光装置である、という構成でもよい。
【符号の説明】
【００６７】
１…（第１）レーザ光源部、２…（第２）レーザ光源部、３…（第３）レーザ光源部、４…結合光学系、５…光画像投射機構、６…光量検出部、７…制御部、８…入力部、９…スクリーン、１０…光源装置、１１…半導体レーザ、１２…コリメートレンズ、１３…駆動部、２１…半導体レーザ、２２…コリメートレンズ、２３…駆動部、３１…半導体レーザ、３２…コリメートレンズ、３３…駆動部、４１…集光レンズ、４２…光ファイバー、４３…色合成光学部材、４４…空間変調素子、６１…光学フィルタ、６２…検出センサ、７０…制御部、７１…記憶部、７１ａ…設定値記憶部、７１ｂ…電流値情報記憶部、７１ｃ…透過率情報記憶部、７２…演算部、７２ａ…設定値選択部、７２ｂ…検出値判定部、７２ｃ…電流値演算部、７３…電流値制御部、７４…累積動作計測部、１００…光源装置、７１０…記憶部
【図１】
2015050225.tif 000003
【図２】
2015050225.tif 000004
【図３】
2015050225.tif 000005
【図４】
2015050225.tif 000006
【図５】
2015050225.tif 000007
【図６】
2015050225.tif 000008
【図７】
2015050225.tif 000009
【図８】
2015050225.tif 000010
【図９】
2015050225.tif 000011
【図１０】
2015050225.tif 000012
【図１１】
2015050225.tif 000013
【図１２】
2015050225.tif 000014